(57)【要約】【課題】時間経過に伴いＯリングが外軸の内周面に沿って貼り付くのを効果的に防止し得る回転繰出し式筆記具を提供すること。【解決手段】前軸１Ａと後軸１Ｂからなる軸筒１内に、リフィール５および回転繰出しユニット２１が収容され、前軸に対して後軸を相対回転させることで、回転繰出しユニットの作用によりリフィールを前後進させて、リフィールの筆記部５ａを前軸の先端開口３ａから出没させるように構成される。前軸に対して後軸を相対回転させることで、重なり合って相対的に軸回転する内軸（カム部材２２）と外軸（ユニットケース２４）が備えられ、内軸には軟弾性体からなるＯリング２７の装着部２２ｆが形成されると共に、Ｏリングの装着部を形成する内軸の外周面は多角形状に構成され、かつＯリングの外周部に接する外軸の内面は、円筒状に構成されている。【選択図】図１
2018118400.tif 000002
【特許請求の範囲】
【請求項１】
前軸と後軸からなる軸筒内に、リフィールおよび回転繰出しユニットが収容され、前軸に対して後軸を相対回転させることで、前記回転繰出しユニットの作用によりリフィールを前後進させて、リフィールの筆記部を前軸の先端開口から出没させる回転繰出し式筆記具であって、
前記前軸に対して後軸を相対回転させることで、重なり合って相対的に軸回転する内軸と外軸がさらに備えられ、
前記内軸には軟弾性体からなるリング状部材の装着部が形成されると共に、前記装着部を形成する前記内軸の外周面は多角形状に構成され、かつ前記リング状部材の外周部に接する前記外軸の内面は、円筒状に構成されていることを特徴とする回転繰出し式筆記具。
【請求項２】
前記リング状部材の装着部は、円環状の収容溝により構成され、前記収容溝の内底部が多角形状になされていることを特徴とする請求項１に記載の回転繰出し式筆記具。
【請求項３】
前軸と後軸からなる軸筒内に、リフィールおよび回転繰出しユニットが収容され、前軸に対して後軸を相対回転させることで、前記回転繰出しユニットの作用によりリフィールを前後進させて、リフィールの筆記部を前軸の先端開口から出没させる回転繰出し式筆記具であって、
前記前軸に対して後軸を相対回転させることで、重なり合って相対的に軸回転する内軸と外軸がさらに備えられ、
前記内軸には軟弾性体からなるリング状部材が装着される円環状の収容溝による装着部が形成されると共に、前記装着部を構成する収容溝は、周方向に沿って蛇行した状態に形成されていることを特徴とする回転繰出し式筆記具。
【請求項４】
前記リング状部材は、リングの周方向に直交する断面形状がＸ字状に構成されていることを特徴とする請求項１ないし請求項３のいずれか１項に記載の回転繰出し式筆記具。
【請求項５】
前記リング状部材と、当該リング状部材の外周部に接する前記外軸との間には、グリスが介在されていることを特徴とする請求項１ないし請求項４のいずれか１項に記載の回転繰出し式筆記具。
【発明の詳細な説明】
【技術分野】
【０００１】
この発明は、前軸に対して後軸を相対的に回転させることで、前軸の先端開口から筆記部が出没される回転繰出し式筆記具に関する。
【背景技術】
【０００２】
前軸に対して後軸を相対的に回転させることで、先端開口から筆記部が出没される回転繰出し式筆記具については、従来より種々の提案がなされている。
この回転繰出し式筆記具においては、後軸の回転操作に連動する筒状のカム部材と、このカム部材によって軸方向に移動するスライド部材が備えられ、前記スライド部材の前進および後退動作により、リフィールの先端筆記部が前軸の先端開口から出没するように動作する。
【０００３】
従来のこの種の回転繰出し式筆記具においては、前軸に対する後軸の回動操作感についてはまだ多くの改良の余地が残されており、重みの少ない（トルク感の少ない）回動操作によって、先端筆記部の出没動作が行われる商品が見受けられる。
加えて、回転操作に伴う前記したカム部材とスライド部材との噛み合わせ部分において、若干不快な擦れ音や金属音が発生するなどの商品も見受けられ、操作の感触に重厚感が伴なわずに、高級感に欠けるという問題も抱えている。
そこで、２つの部材間にＯリングを配置し、このＯリングによる摺動抵抗によって、後軸の操作に適度な回転抵抗を付与するようにした回転繰出し式筆記具が提案されており、これは特許文献１に開示されている。
【０００４】
特許文献１に開示された回転繰出し式筆記具によると、後軸の回動操作によって軸方向に移動するスライド部材にＯリングが取り付けられ、このＯリングはその外側に配置された回転繰出しユニットの一部を構成する円筒部材の内周面に摺接することで、回転操作に適度な摺動抵抗が与えられるように構成されている。
この構成によると、Ｏリングが回転繰出しユニットを構成する円筒部材の内周面に沿って全周にわたって線接触されており、時間の経過によりＯリングが円筒部材の内周面に貼り付き、先端筆記部の出没動作の操作感にバラツキが生じて、安定した操作感を得られにくいという問題を招く場合がある。
【０００５】
そこで、Ｏリングが全周にわたって線接触するのを避けるようにした回転繰出し式筆記具が特許文献２に開示されている。
特許文献２に開示された筆記具によると、後軸の内周面側の一部を多角形状に形成し、この多角形状の内周面に沿わせてＯリングを配置した構成が採用されている。
この構成によると、Ｏリングは後軸の多角形状になされた内周面に接して配置されるので、Ｏリングが全周にわたって後軸の内周面に沿って線接触するのを避けることができる。したがって、Ｏリングが時間経過に伴って後軸の内周面に貼り付き、先端筆記部の繰出し動作に支障が生ずる問題を回避することができる。
【先行技術文献】
【特許文献】
【０００６】
【特許文献１】特許第５９８５３３２号公報
【特許文献２】特許第４２０９３８３号公報
【発明の概要】
【発明が解決しようとする課題】
【０００７】
ところで、特許文献２に開示された回転繰出し式筆記具によると、Ｏリングが接する後軸の内周面の一部を多角形状に形成する必要がある。これによると後軸の内周面が、軸方向において円筒状になされる部分と多角形状になされる部分がそれぞれ存在し、特に内周面が多角形状になされる部分の加工には、比較的繁雑な格別な加工手段を要するなどの問題を有している。
【０００８】
したがって、この発明が解決しようとする課題は、Ｏリングを用いて筆記部の回転繰出し動作に摺動抵抗を与えるようにした筆記具において、Ｏリングが装着される内軸側に、前記Ｏリングの外周面を非円形にするＯリングの装着部を設けることで、時間経過に伴いＯリングが外軸の内周面に沿って貼り付くのを効果的に防止し得る回転繰出し式筆記具を提供しようとするものである。
【課題を解決するための手段】
【０００９】
前記した課題を解決するためになされたこの発明に係る回転繰出し式筆記具の好ましい一つの形態においては、前軸と後軸からなる軸筒内に、リフィールおよび回転繰出しユニットが収容され、前軸に対して後軸を相対回転させることで、前記回転繰出しユニットの作用によりリフィールを前後進させて、リフィールの筆記部を前軸の先端開口から出没させる回転繰出し式筆記具であって、前記前軸に対して後軸を相対回転させることで、重なり合って相対的に軸回転する内軸と外軸がさらに備えられ、前記内軸には軟弾性体からなるリング状部材の装着部が形成されると共に、前記装着部を形成する前記内軸の外周面は多角形状に構成され、かつ前記リング状部材の外周部に接する前記外軸の内面は、円筒状に構成されていることを特徴とする。
【００１０】
この場合、軟弾性体からなるリング状部材とは、Ｏリング等で示す円環状の粘弾性材料で形成された部材を示す。
また、前記リング状部材の装着部は、円環状の収容溝により構成され、前記収容溝の内底部が多角形状になされていることが望ましい。
【００１１】
また、この発明に係る回転繰出し式筆記具の好ましい他の一つの形態においては、前軸と後軸からなる軸筒内に、リフィールおよび回転繰出しユニットが収容され、前軸に対して後軸を相対回転させることで、前記回転繰出しユニットの作用によりリフィールを前後進させて、リフィールの筆記部を前軸の先端開口から出没させる回転繰出し式筆記具であって、前記前軸に対して後軸を相対回転させることで、重なり合って相対的に軸回転する内軸と外軸がさらに備えられ、前記内軸には軟弾性体からなるリング状部材が装着される円環状の収容溝による装着部が形成されると共に、前記リング状部材の装着部を構成する収容溝は、周方向に沿って蛇行した状態に形成されていることを特徴とする。
【００１２】
そして、前記した各形態における回転繰出しユニットには、後軸と一体に軸回転するカム部材と、前記カム部材の軸回転によって軸方向に移動して前記リフィールを前後進させるスライド部材と、前記カム部材の外側に配置されたユニットケースが具備され、前記回転繰出しユニットにおける前記カム部材が前記内軸を構成し、前記ユニットケースが前記外軸を構成した形態が好適に採用される。
【００１３】
また、前記前軸の後端部内周面には円筒状の短軸部材が装着されて、前記短軸部材に対して後軸が外側に重なり合って相対的に軸回転するように構成した形態も採用することができ、この場合には前記短軸部材が前記内軸を構成し、前記後軸が前記外軸を構成した形態になされる。
【００１４】
加えて、前記リング状部材として、Ｏリングのようなリングの周方向に直交する断面形状が円形だけでなく、Ｘ字形状に構成されたものや前記形状とを組み合わせたものも採用することができ、さらには、前記リング状部材と、当該リング状部材の外周部に接する前記外軸との間には、粘稠性のあるグリス等の潤滑剤が介在された構成も好適に採用することができる。
【発明の効果】
【００１５】
前記したこの発明に係る回転繰出し式筆記具によると、リング状部材が装着される内軸の外周面は多角形状に構成されるので、軟弾性体からなるリング状部材は内軸の装着部に沿って適度に変形する。
したがって、リング状部材はその外周面が非円形になされ、外軸の内面に全周にわたって線接触するのを避けることができる。それ故、時間経過に伴ってリング状部材が外軸に貼り付くことによる筆記体の繰出し動作に支障が生ずる問題を回避することができる。
しかも、内軸の外周面を多角形状に加工することで、前記した作用効果を得ることができるので、リング状部材の装着部の加工も容易になし得る回転繰出し式筆記具を提供することができる。
【図面の簡単な説明】
【００１６】
【図１】この発明に係る回転繰出し式筆記具の第１形態について全体構成を示した中央断面図である。
【図２Ａ】回転繰出しユニットを構成するカム部材の正面図である。
【図２Ｂ】図２ＡのＡ−Ａ線より矢印方向に見た断面図である。
【図２Ｃ】カム部材の斜視図である。
【図３Ａ】回転繰出しユニットを構成するスライド部材の正面図である。
【図３Ｂ】スライド部材の斜視図である。
【図４】回転繰出しユニットの外郭を構成するユニットケースの斜視図である。
【図５】ユニットケースの端部に取り付けられるストッパの斜視図である。
【図６】回転繰出しユニットの斜視図である。
【図７Ａ】回転繰出しユニットを構成するカム部材の第２の構成例を示した正面図である。
【図７Ｂ】第２のカム部材の縦断面図である。
【図７Ｃ】第２のカム部材の斜視図である。
【図８】この発明に係る回転繰出し式筆記具の第２形態について全体構成を示した中央断面図である。
【図９】リング状部材としてのＯリングの好ましい例を示した断面図である。
【発明を実施するための形態】
【００１７】
以下、この発明に係る回転繰出し式筆記具について、図に示す実施の形態に基づいて説明する。図１〜図６はその第１の形態を示すものであり、まず図１に基づいて、その全体構成について説明する。
【００１８】
この回転繰出し式筆記具は、外径がほぼ同一になされた前軸１Ａと後軸１Ｂとにより軸筒１を構成しており、前軸１Ａに対して後軸１Ｂが相対回転できるように構成されている。前軸１Ａの前端部には円筒状の連結体２を介して第１口先部３および第２口先部４が軸方向に沿って取り付けられており、円錐状の第１口先部３には開口が形成されて、これが前軸１Ａ側の先端開口３ａを構成している。そして、先端開口３ａから軸筒１内に収容されたボールペンリフィール５の筆記部（ボールペンチップ）５ａが出没できるように構成されている。
【００１９】
また、ボールペンリフィール５と第１口先部３との間には、コイル状の戻しばね６が配置されており、この戻しばね６によって前記ボールペンリフィール５は軸筒１内において後退する方向に付勢されている。なお図１に示す状態は、後述する回転繰出しユニット２１の作用により、ボールペンリフィール５が前進し、筆記部（ボールペンチップ）５ａが先端開口３ａから突出した状態を示している。
【００２０】
前軸１Ａの後端部内面には、筒状の短軸部材８がねじ込まれて取り付けられており、前記した後軸１Ｂの前端部の内面には、筒状の摺動体９が取り付けられている。そして、前記短軸部材８の外周面に対して、後軸１Ｂに取り付けられた摺動筒９が摺接し、これにより前軸１Ａに対して後軸１Ｂが相対回転できるように構成されている。
前記短軸部材８には、回転繰出しユニット２１を構成するユニットケース２４の前端部がねじ込まれて取り付けられている。なお、回転繰出しユニット２１については、図２〜図６に基づいて後で詳しく説明する。
【００２１】
回転繰出しユニット２１のカム部材２２の一部に嵌合して取り付けられた継手部材１１には、天冠部材１２の軸体１２ａが軸方向に嵌め込まれて取り付けられており、天冠部材１２の周囲には、飾りリング１３が取り付けられている。また、天冠部材１２の軸体１２ａには固定リング１４が取り付けられて、天冠部材１２と固定リング１４とによって、後軸１Ｂの後端部において形成された軸中央部側への折曲げ部を挟み、これにより天冠部材１２は後軸１Ｂに固定されている。
【００２２】
さらに、クリップ１５の基端部が、天冠部材１２の軸体１２ａに挿通されており、天冠部材１２の軸体１２ａに配置されたクリップばね１６によって、クリップ１５を閉じた状態に、すなわちクリップばね１６によって、クリップ１５の先端部が後軸１Ｂの側面に接した状態を保つように構成されている。
【００２３】
図２〜図５は、前記した回転繰出しユニット２１を構成する各部材の単体構成について示している。
図２Ａ〜図２Ｃはカム部材２２の単体構成を示しており、このカム部材２２は、前半部に大径の円筒部２２ａを有し、後半部に小径の円筒部２２ｂが形成されている。また、図２Ｂに示されているように、その中央部には直線状の軸孔２２ｃが形成されている。
【００２４】
前半の大径の円筒部２２ａには、その半周にわたって軸方向に向かってカム面２２ｄが形成されており、カム面２２ｄの前端部を超えた位置に、軸方向に陥没する凹陥部２２ｅが形成されている。
カム部材２２の軸方向の中央部には、溝状に径を縮小したリング状部材であるＯリング２７（図１に示す。）の装着部２２ｆが円環状に形成されており、この溝状の装着部２２ｆの内底部は多角形状（図２Ｂに示す例は正六角形状）になされている。
そして、溝状の装着部２２ｆに隣接して、前記小径円筒部２２ｂとの間で段部が形成され、この段部に形成された環状の摺接面２２ｇが、後述する尾栓の機能を果たすストッパ２５に摺接するように作用する。
【００２５】
図３Ａおよび図３Ｂはスライド部材２３の単体構成を示しており、このスライド部材２３は、前記したカム部材２２の回動により軸方向に移動して、前記したリフィール５を前後進させるように作用する。
したがって、スライド部材２３の前端部には、径が太くなされてリフィール５の後端部に接する当接部２３ａが形成されている。また、スライド部材２３の前半部には径方向に突出して、軸方向に若干長く形成された直線状の突出部２３ｂが施されており、この突出部２３ｂの後端部が、前記カム部材２２のカム面２２ｄに接する摺接部２３ｃを構成している。
【００２６】
そして、前記突出部２３ｂの前端部には、さらに径方向に若干突出したガイド突起２３ｄが形成されており、このガイド突起２３ｄは、後述するユニットケース２４のガイド溝２４ｂ内に収容されることで、スライド部材２３を軸方向にのみ移動させるように作用する。
さらに、スライド部材２３の後半部は径が縮小されてロッド部２３ｅが形成されており、このロッド部２３ｅは、前記したカム部材２２の小径円筒部２２ｂに形成された軸孔２２ｃ内に収容されて、スライド部材２３を軸孔２２ｃに沿って軸方向に摺動させるように作用する。
【００２７】
図４はユニットケース２４の単体構成を示しており、このユニットケース２４は円筒状に形成されて、その内部の空間部２４ａ内に前記したカム部材２２およびスライド部材２３が収容される。そして、軸方向中央部の側面にはガイド溝２４ｂが軸方向に沿って形成されており、このガイド溝２４ｂに前記したスライド部材２３のガイド突起２３ｄが挿入されて、スライド部材２３は軸方向に移動可能に支持される。
また、ユニットケース２４における前端部の外周面には、雄ねじ２４ｃが形成されており、この雄ねじ２４ｃが図１に示す短軸部材８の内周面に形成された雌ねじに螺合して、回転繰出しユニット２１は、前軸１Ａ側に取り付けられる。
【００２８】
図５は前記したユニットケース２４における後端部に嵌合されて取り付けられる尾栓の機能を果たすストッパ２５を示している。
このストッパ２５は円環状に形成されて、その前端部の外周面にはユニットケース２４の後端部内面に嵌合される凸状の係止部２５ａが環状に形成されている。そして、ストッパ２５の後端部には、ユニットケース２４の後端部端面に当接する位置決め段部２５ｂが形成されている。
【００２９】
したがって、係止部２５ａを利用してユニットケース２４の後端部にストッパ２５を取り付けることにより、ストッパ２５の環状の前端面２５ｃがカム部材２２に形成された摺接面２２ｇに当接し、これによりカム部材２２およびスライド部材２３は、ユニットケース２４内に収容された状態になされる。
そして、カム部材２２の小径円筒部２２ｂは、ストッパ２５に形成された軸孔２５ｄを介して、回転繰出しユニット２１の後部に向かって突出した状態に配置される。
【００３０】
図１に示した回転繰出し式筆記具によると、前軸１Ａに対して後軸１Ｂを相対的に回転させることで、後軸１Ｂに取り付けられた天冠部材１２の軸体１２ａおよび継手部材１１を介して、回転繰出しユニット２１のカム部材２２が回動される。
この場合、前軸１Ａに対して後軸１Ｂを相対的に右回転させることで、カム部材２２に形成されたカム面２２ｄは、スライド部材２３の摺接部２３ｃを前方に押し出す。したがって、スライド部材２３は、その当接部２３ａによって、ボールペンリフィール５を前方に押し出し、その筆記部（ボールペンチップ）５ａは、先端開口３ａより突出する。
【００３１】
前記スライド部材２３の摺接部２３ｃが、カム面２２ｄの前端部を乗り超えることで、摺接部２３ｃはカム面２２ｄに続く凹陥部２２ｅに落ち込み、これにより、筆記部（ボールペンチップ）５ａは、先端開口３ａより突出した図１に示す状態に保持される。
この状態で前軸１Ａに対して後軸１Ｂを相対的に左回転させることで、スライド部材２３の摺接部２３ｃは、凹陥部２２ｅからカム面２２ｄの前端部を乗り超え、カム面２２ｄに沿って後退する。この後退動作は戻しばね６の付勢力によってなされ、これにより筆記部（ボールペンチップ）５ａは、先端開口３ａ内に収容される。
【００３２】
この実施の形態における前記した回転繰出しユニット２１は、カム部材２２の外周面に円環状の溝によりにＯリングの装着部２２ｆが形成され、この装着部２２ｆにＯリング２７が溝に沿って収容されている。
そして、カム部材２２の外側にユニットケース２４が配置されて、円筒状に構成されたユニットケース２４の内周面にＯリング２７の外周部が接するように配置される。
【００３３】
すなわち、Ｏリングの装着部２２ｆが形成されたカム部材２２と、外側のユニットケース２４とは、前軸に対して後軸を相対回転させることで、重なり合って相対的に軸回転する内軸（カム部材２２）と外軸（ユニットケース２４）の関係になされている。
したがって、前記したＯリング２７は、その外側に配置されたユニットケース２４の内周面に摺接することで、前軸１Ａに対する後軸１Ｂの相対回転操作に、適度な摺動抵抗を与えるように作用する。
【００３４】
前記Ｏリング２７は、例えばシリコンゴムなどの軟弾性体により形成され、リングの周方向に直交する断面形状はほぼ円形状になされている。このＯリング２７は、その内底部が多角形状（図２Ｂに示す例は正六角形状）にされた装着部２２ｆに装着されており、これにより、Ｏリング２７の外周面は装着部２２ｆの多角形状の内底部に沿って適度に変形する。したがって、Ｏリング２７はその外周面が非円形になされ、Ｏリング２７は外軸としてのユニットケース２４の内面に全周にわたって線接触するのを避けることができる。
それ故、時間経過に伴ってＯリング２７が外軸（ユニットケース２４）の内周面に貼り付くことによる筆記体の繰出し動作に支障が生ずる問題を回避することができる。
【００３５】
この実施の形態によると、Ｏリング２７の装着部２２ｆは内軸としてのカム部材２２の外周面を多角形状に加工することで、前記した作用効果を得ることができるので、Ｏリングの装着部２２ｆの加工も容易にすることができる。
なお、内軸の外周面に形成されるＯリング２７の装着部２２ｆは、正五角形〜正十六角形とすることが望ましい。
【００３６】
さらに、前記したＯリング２７の装着部２２ｆには、粘稠性のあるグリス等の潤滑剤を充填してＯリング２７と外軸（ユニットケース２４）との間に、グリスが介在されるように構成することが望ましい。特にこの実施の形態においては、Ｏリング２７の装着部２２ｆは、多角形になされることで、Ｏリングとの間でグリス溜りを形成することができる。
このグリスは、Ｏリング２７と外軸（ユニットケース２４）との間に介在して、両者間の摩擦抵抗を適度に調整すると共に、クリック音や摺動音の発生を抑制し、回転繰出し操作に重厚感、ならびに高級感を与えることに寄与できる。
【００３７】
図７Ａ〜図７Ｃは、回転繰出しユニット２１を構成するカム部材の他の好ましい例を示している。なお、図７Ａ〜図７Ｃに示したカム部材２２Ａは、図２Ａ〜図２Ｃに示したカム部材２２と基本構成は同様であり、同一の機能を果たす部分を同一符号で示し、その詳細な説明は省略する。
図７Ａ〜図７Ｃに示したカム部材２２Ａは、リング状部材であるＯリングの装着部２２ｈとして機能するＯリングの収容溝は、カム部材２２Ａの周方向に沿って蛇行した状態に形成されている。したがって、Ｏリング２７は蛇行した装着部２２ｈとしての収容溝に沿って配置される。
【００３８】
図７Ａ〜図７Ｃに示すカム部材２２Ａを用いた場合にも、図１に示した回転繰出しユニット２１と同様に、重なり合って相対的に軸回転する内軸（カム部材２２Ａ）と外軸（ユニットケース２４）が備えられ、内軸（カム部材２２Ａ）側にＯリングが装着される。
したがって、Ｏリングの装着部２２ｈに同様にグリスを充填することで、蛇行したＯリング２７の回動によって、グリスを軸方向に沿って広げることができる。
これにより、Ｏリングが時間経過に伴って後軸の内周面に貼り付き、先端筆記部の繰出し動作に支障が生ずる問題を効果的に回避することができる。
【００３９】
図８はこの発明に係る回転繰出し式筆記具の第２形態を示した中央断面図である。
この第２形態の回転繰出し式筆記具は、図１に示した回転繰出し式筆記具と基本構成は同様であり、同一の機能を果たす部分を同一符号で示している。したがって、詳細な説明は省略する。
なお、図８における回転繰出しユニット２１は、その構成が図１に示すものと同一であるため、その断面構成は図示を省略している。ただし、回転繰出しユニット２１内に装着されたＯリング２７の配置か所は、回転繰出しユニット２１内に代えて、短軸部材８Ａと、後軸１Ｂとの間に配置されている。
【００４０】
図８に示す構成においては、図１に示した短軸部材８に比較して若干肉厚に形成された短軸部材８Ａが利用されている。そして、短軸部材８Ａの外周面に沿って溝状のＯリングの装着部が形成されて、この溝内にＯリング２７が装着されている。
このＯリング２７の装着部である環状溝の内底部は、図８にＯリングの配置位置を断面図で示したように、正６角形状に形成されおり、Ｏリング２７はこの正６角形状の内底部に沿って、その外周部は非円形状になされている。
そして、Ｏリング２７の外周部は、後軸１Ｂ内に装着された摺動体９の内面に、周方向に沿って間欠的に接している。
【００４１】
これにより、前軸１Ａの後端部内周面に短軸部材８Ａが装着されてＯリング２７が装着され、前記短軸部材８Ａに対して後軸１Ｂが外側に重なって相対的に軸回転し、Ｏリング２７が後軸１Ｂに摺動するように構成される。
したがって、前記Ｏリング２７は、その外側に配置された後軸１Ｂ（摺動体９）の内周面に摺接することで、前軸１Ａに対する後軸１Ｂの相対回転操作に、適度な摺動抵抗を与えるように作用する。
この構成においても、図１に示した構成と同様に環状溝によるＯリング２７の装着部にグリスを充填することで、グリスがＯリングの摩擦抵抗を適度に調整し、図１に示した回転繰出し式筆記具と同様の作用効果を得ることができる。
【００４２】
以上説明した回転繰出し式筆記具においては、Ｏリングとしてリングの周方向に直交する断面形状が円形になされたものを用いているが、これに代えて図９に示すようにリングの周方向に直交する断面形状がＸ字状になされたＯリング２７Ａ（Ｘリング）を好適に用いることができる。
この図９に示した構成のＯリング２７Ａによると、接触圧力が分散されるので、時間の経過によりＯリングが外軸の内周面に貼り付く度合いをより低くすることができる。
したがって、断面形状がＸ字状になされたＯリング２７Ａを利用することで、この発明に係る回転繰出し式筆記具の前記した作用効果を一層ひき立たせることができる。
【符号の説明】
【００４３】
１      軸筒
１Ａ    前軸
１Ｂ    後軸
３      第１口先部
３ａ    先端開口
４      第２口先部
５      リフィール
５ａ    筆記部
６      戻しばね
８，８Ａ  短軸部材
９      摺動体
１１    継手部材
１２    天冠部材
１２ａ  軸体
１４    固定リング
１５    クリップ
１６    クリップばね
２１    回転繰出しユニット
２２    カム部材
２２ａ  大径円筒部
２２ｂ  小径円筒部
２２ｄ  カム面
２２ｆ，２２ｈ  装着部
２３    スライド部材
２３ｃ  摺接部
２３ｄ  ガイド突起
２４    ユニットケース
２４ｂ  ガイド溝
２４ｃ  雄ねじ
２５    ストッパ
２７，２７Ａ  Ｏリング（リング状部材）
【図１】
2018118400.tif 000003
【図２Ａ】
2018118400.tif 000004
【図２Ｂ】
2018118400.tif 000005
【図２Ｃ】
2018118400.tif 000006
【図３Ａ】
2018118400.tif 000007
【図３Ｂ】
2018118400.tif 000008
【図４】
2018118400.tif 000009
【図５】
2018118400.tif 000010
【図６】
2018118400.tif 000011
【図７Ａ】
2018118400.tif 000012
【図７Ｂ】
2018118400.tif 000013
【図７Ｃ】
2018118400.tif 000014
【図８】
2018118400.tif 000015
【図９】
2018118400.tif 000016